(57)【特許請求の範囲】
【請求項１】
多層構造を有するマスク（１０）において、
着用者の鼻及び口を覆う本体部（１）と、
前記本体部（１）の両端から延びる耳掛け部（２）とを備え、
前記本体部（１）は、
前記着用者に接する内側に第１層（１１）と、外側に第２層（１２）と、前記第１層（１１）と前記第２層（１２）との間に第３層（１３）とを備え、
前記第１層（１１）は、接触冷感を有する編地であり、
前記第２層（１２）は、通気性を有する編地であり、
前記第３層（１３）は、フィルターであり、
前記第１層（１１）、前記第２層（１２）及び前記第３層（１３）は、
複数のパーツに分けられ、
前記複数のパーツは、前記本体部（１）の中心部（Ｍ）において複数のステッチ（５２，５４，５５）により縫着されており、
前記中心部（Ｍ）における前記第１層（１１）は、
一方のパーツが前記中心部（Ｍ）において折り返され、他方のパーツとともに第１ステッチ（５２）により縫着され、
前記中心部（Ｍ）における前記第２層（１２）は、
一方のパーツが前記中心部（Ｍ）において折り返され、他方のパーツとともに第２ステッチ（５４）により縫着されており、
前記中心部（Ｍ）における前記第１層（１１）及び前記第２層（１２）は、
前記第１ステッチ（５２）と、前記第２ステッチ（５４）との間において、前記第３層（１３）とともに第３ステッチ（５５）により縫着されている
ことを特徴とするマスク（１０）。
【請求項２】
前記中心部（Ｍ）において芯材（５１，５３）を備え、
前記芯材（５１，５３）は、
前記本体部（１）の上端から下端に延在する
ことを特徴とする請求項１に記載のマスク（１０）。
【請求項３】
前記中心部（Ｍ）における前記第１層（１１）は、
前記一方のパーツが前記芯材（５１）を覆うように折り返されており、
前記中心部（Ｍ）における前記第２層（１２）は、
前記一方のパーツが前記芯材（５３）を覆うように折り返されている
ことを特徴とする請求項２に記載のマスク（１０）。
【請求項４】
前記第３層（１３）は、内側から外側へ向かって配置された複数のフィルター（１３１，１３２）の積層体であり、
前記内側のフィルター（１３１）のろ過効率は、前記外側のフィルター（１３２）よりも高い
ことを特徴とする請求項１〜３のいずれか一項に記載のマスク（１０）。
【請求項５】
前記第１層（１１）は、消臭機能を有する
ことを特徴とする請求項１〜４のいずれか一項に記載のマスク（１０）。
【請求項６】
前記第２層（１２）は、紫外線カット機能を有する
ことを特徴とする請求項１〜５のいずれか一項に記載のマスク（１０）。
【請求項７】
前記第１層（１１）は、前記第１層（１１）の面を示す識別部（３）を備える
ことを特徴とする請求項１〜６のいずれか一項に記載のマスク（１０）。
【請求項８】
前記耳掛け部（２）は、前記第２層（１２）と同じ編地である
ことを特徴とする請求項１〜７のいずれか一項に記載のマスク（１０）。
【発明の詳細な説明】
【技術分野】
【０００１】
本発明は、マスクに関する。
【背景技術】
【０００２】
従来、鼻及び口を覆うマスクの素材としては、ガーゼ又は不織布が知られている（例えば特許文献１参照）。不織布は密度が高いため、フィルター機能に優れるが、肌触りは柔らかいガーゼの方が良好である。しかし、ガーゼは不織布より密度が低い分、フィルター機能に劣る。
【先行技術文献】
【特許文献】
【０００３】
【特許文献１】実用新案登録第３２２１０９５号
【発明の概要】
【発明が解決しようとする課題】
【０００４】
上記のように、フィルター機能を高めるには素材の密度を高める必要がある。しかし、密度を高めると、柔軟性や滑らかさが低下して着用時に不快に感じやすい。したがって、フィルター機能と肌触りの両立は難しかった。
【０００５】
またマスクは呼吸器官を覆うため、夏のように気温が高い時期は、着用者が不快に感じることがある。
【０００６】
本発明は、フィルター機能に優れ、かつ着用時の不快感が少ないマスクの提供を目的とする。
【課題を解決するための手段】
【０００７】
本発明の一態様は、多層構造を有するマスク（１０）であり、着用者の鼻及び口を覆う本体部（１）と、本体部（１）の両端から延びる耳掛け部（２）とを備える。本体部（１）は、着用者に接する内側に第１層（１１）と、外側に第２層（１２）と、前記第１層（１１）と前記第２層（１２）との間に第３層（１３）とを備える。第１層（１１）は、接触冷感を有する編地である。第２層（１２）は、通気性を有する編地である。第３層（１３）は、フィルターである。
【発明の効果】
【０００８】
本発明によれば、フィルター機能に優れ、かつ着用時の不快感が少ないマスクを提供することができる。
【図面の簡単な説明】
【０００９】
【図１】本実施形態のマスクの斜視図である。
【図２】マスクを内側から示す斜視図である。
【図３】本体部の層構造を示す分解図である。
【図４】本体部の中心部を示す断面図である。
【発明を実施するための形態】
【００１０】
以下、本発明のマスクの実施の形態について、図面を参照して説明する。以下に説明する構成は、本発明の一例（代表例）であり、これに限定されない。
【００１１】
なお以下の説明において、内側とは着用者に接触する側をいい、図面中の方向Ｙ１で表す。外側とは内側の反対側をいい、図面中の方向Ｙ２で表す。右とは図面中の方向Ｘ１をいい、左とは図面中の方向Ｘ２をいう。上とは図面中の方向Ｚ１をいい、下とは図面中の方向Ｚ２をいう。
【００１２】
図１は、本実施形態のマスク１０の斜視図である。図２は、マスク１０を内側から示す斜視図である。
【００１３】
（マスク）
本実施形態のマスク１０は、着用者の顔及び口を覆う本体部１と、本体部１を着用者に固定するための耳掛け部２とを備える。
【００１４】
（本体部）
図３は、本体部１の層構造を示す。
本体部１は、内側から外側に向かって、第１層１１、第３層１３及び第２層１２をこの順に備える。したがって、マスク１０は多層構造を有する。
【００１５】
（第１層）
第１層１１は、最も内側に配置される編地である。編地である第１層１１の柔軟性及び平滑性は不織布よりも高く、着用時の肌触りが良好である。
【００１６】
編地の編組織としては、フライス、スムース、天竺、ベア天竺、鹿の子、片袋、ポンチローマ、ミラノリブ、パール編等が挙げられる。着用のしやすさの観点からは、伸度及び弾力性が高い緯編地が好ましい。マスク１０のフィット感を高める観点からは、ベア天竺が好ましい。
【００１７】
第１層１１は、接触冷感を有する編地である。着用者は第１層１１と接触することによって冷感を覚えるため、マスク１０によって着用者の呼吸器官が覆われていても不快感が少ない。
【００１８】
接触冷感を有するとは、接触冷感の指標であるＱｍａｘが１００Ｗ／ｍ２・℃以上であることをいう。Ｑｍａｘの数値が大きいほど、付与する冷感を高めやすい。冷感を高める観点から、Ｑｍａｘは、１２０Ｗ／ｍ２・℃以上が好ましく、１５０Ｗ／ｍ２・℃以上がより好ましく、１６０Ｗ／ｍ２・℃以上がさらに好ましい。Ｑｍａｘの上限は特にないが、２１０Ｗ／ｍ２・℃程度とすることができる。第１層１１は第２層１２よりも接触冷感に優れることが好ましい。
【００１９】
Ｑｍａｘは、精密迅速熱物性測定装置（商品名THERMOLABO II、カトーテック社製）を用いて測定できる。具体的には、温度２０℃、相対湿度６５％ＲＨの環境下で調湿された生地の表面に、３０℃に加温された熱板を接触させたときの最大瞬間熱流束（Ｗ／ｃｍ２・１０℃）を測定する。この測定値を温度差１℃あたり、かつ生地面積１ｍ２あたりの値に換算することにより、Ｑｍａｘ（Ｗ／ｍ２・℃）が得られる。
【００２０】
接触冷感は、使用する繊維、繊維の細さ、又は編組織等を選択することにより高めることができる。接触冷感に優れた繊維としては、例えばナイロン６、ナイロン６６等のポリアミド、ポリエチレンテレフタレート等のポリエステル、ポリエチレン、ポリプロピレン等のポリオレフィン、ポリウレタン等の合成繊維が挙げられる。これらは１種又は２種以上を組み合わせて使用できる。
【００２１】
第１層１１は、上述した接触冷感に優れた繊維に肌触りが良好な繊維を組み合わせることもできる。そのような繊維としては、しっとりとした肌触りを付与できるセルロース繊維を好ましく使用できる。セルロース繊維としては、キュプラと呼ばれる銅アンモニアレーヨン（例えば、旭化成かせん社製のベンベルク（登録商標）等）、ビスコースレーヨン、ポリノジックレーヨン、精製セルロース繊維等が挙げられる。
【００２２】
接触冷感を高める観点から、第１層１１の編地には熱伝導率を高める加工が施されてもよい。熱伝導率を高める加工例としては、編地にキシリトール樹脂を塗布する処理等が挙げられる。
【００２３】
第１層１１は、吸湿性をさらに有する。編み目内に呼気の水分を吸着することにより、しっとり感を付与することができる。吸湿性を有する第１層１１は、繊維の１つとして吸湿性に優れたキュプラを用いることによって得ることができる。
【００２４】
第１層１１は、消臭機能をさらに有し、編み目内に匂い粒子を吸着する。優れた消臭機能は、編地の編み方、糸の細さ等を調整することによって得ることができる。また金属キレート等の消臭剤が第１層１１の繊維に練りこまれるか、第１層１１の編地にコートされていてもよい。
【００２５】
接触冷感、吸湿性及び消臭機能を有し、かつ肌触りも良好な第１層１１としては、例えば特許第６１６６２９９５号に開示された編地を使用できる。これは、単糸繊度が０．８〜４ｄｔｅｘのセルロース繊維を２０質量％以上使用した編地であって、編地の充填密度が０．２６〜０．５ｇ／ｍ３である。
【００２６】
特許第６３７１５９３号に開示された編地も、第１層１１として好適である。この編地は、セルロース繊維と合成繊維とが混繊された複合糸条と、合成繊維の糸条とが交編されたベア天竺の編地であって、編地におけるセルロース繊維の割合が２０％以上である。
【００２７】
（第２層）
第２層１２は、最も外側に配置される編地である。第２層１２は、第１層１１とは異なる編地であり、通気性を有する。したがって、マスク１０内部に呼気がこもりにくく、着用時の不快感が少ない。第２層１２は、第１層１１よりも通気性に優れることが好ましい。
【００２８】
通気性は、使用する繊維、繊維の細さ、編組織等によって高めることができる。例えば、第１層１１の編地よりもキュプラ等のセルロース繊維の割合を減らし、ポリエステル等の合成繊維の割合を増やした編地は通気性に優れ、第２層１２の編地として好ましく使用することができる。
【００２９】
また第１層１１の編地の編組織を、第１層１１よりも通気性に優れた編組織に変更した編地も通気性に優れるため、第２層１２の編地として好ましく使用できる。通気性に優れた編組織としては、例えばハニカムメッシュ、ダブルフェイス、鹿の子等が挙げられる。
【００３０】
好ましい一例を挙げると、第１層１１は、ナイロン６０％、キュプラ３０％、ポリウレタン１０％のベア天竺の編地であり、第２層１２は、ポリエステル７５％、キュプラ１２％、ポリウレタン１３％のハニカムメッシュの編地である。
【００３１】
第２層１２は、紫外線カット機能を有する。そのため、紫外線による肌のダメージを減らすことができる。紫外線カット機能を有するとは、紫外線の遮蔽率が８０％以上であることをいう。遮蔽率は９０％以上が好ましく、９５％以上がより好ましく、９８％以上がさらに好ましい。
【００３２】
紫外線カット機能を有する第２層１２は、ポリエステル等の紫外線の遮蔽性が高い繊維を使用することにより得ることができる。またセラミックス粒子等を合成繊維に練り込むか、編地に紫外線防止剤をコートすることによっても、紫外線カット機能を有する第２層１２を得ることができる。
【００３３】
（第３層）
第３層１３は、第１層１１と第２層１２との間に配置されるフィルターである。第３層１３は、第１層１１又は第２層１２の編地よりも密度が高い。そのため、柔らかい第１層１１又は第２層１２を第３層１３が支持して本体部１の形状を維持しやすい。
【００３４】
第３層１３は、単層構造であってもよいし多層構造であってもよい。本実施形態において、第３層１３は、内側から外側へ向かって配置された２つのフィルター１３１及び１３２の積層体である。
【００３５】
内側に配置されるフィルター１３１は、外側に配置されるフィルター１３２よりもろ過効率が高いことが好ましい。ろ過効率は、例えばフィルターに用いるファイバー径を細くするか、ファイバーの密度を高めることによって高めることができる。
【００３６】
衛生性の観点からは、バクテリア（細菌）ろ過効率（ＢＦＥ：Bacterial Filtration Efficiency）が高いことが好ましい。ＢＦＥは、ＡＳＴＭＦ２１０１に準拠して測定される。
【００３７】
花粉拡散を抑える観点からは花粉ろ過率が高いことが好ましい。飛沫拡散を抑える観点からは、微粒子ろ過効率（ＰＦＥ：Particle Filtration Efficiency）が高いことが好ましい。ＰＦＥは、ＡＳＴＭ  Ｆ２２９９に準拠して測定される。
【００３８】
本実施形態のフィルター１３１は、ｎｍ単位の極細繊維、例えばポリテトラフルオロエチレン（ＰＴＦＥ）のナノファイバーを用いた不織布シートである。またフィルター１３２は、ポリエチレン樹脂、ポリプロピレン樹脂等の合成繊維の不織布シートである。ＰＴＦＥのナノファイバーを用いた不織布シートは、通常の合成繊維を用いた不織布シートよりも密度が高く、ろ過効率が高い。
【００３９】
本体部１の各層は、２つのパーツに分けられる。２つのパーツは本体部１の前中心か前中心近傍の中心部Ｍで縫着される。図４は、本体部１の中心部Ｍの断面図である。
【００４０】
パーツの組み合わせにより、鼻が突出する顔の形状に合わせて本体部１の形状を立体的に形成することができる。これにより、マスク１０のフィット感を付与できる。また中心部Ｍにおけるたるみによる型崩れを防ぐことができる。呼吸による張り付きも抑えることができる。
【００４１】
２つのパーツは、中心部Ｍにおいて複数のステッチ５２、５４及び５５により縫着される。マスク１０は、中心部Ｍにおいて芯材５１及び５３を備える。芯材５１及び５３は、本体部１の上端から下端に延在する。
【００４２】
芯材５１及び５３は、例えば綿芯、接着芯、スポンジ、ウーリースピンテープ等である。一定の強度と柔軟性を有するのであれば、芯材５１及び５３はこれらに限らない。
【００４３】
中心部Ｍにおいて、第１層１１は、一方のパーツが芯材５１を覆うように折り返され、他方のパーツとともに第１ステッチ５２により縫着される。第２層１１も、一方のパーツが芯材５３を覆うように折り返され、他方のパーツとともに第２ステッチ５４により縫着される。
【００４４】
中心部Ｍにおける第１層１１と第２層１２は、第１ステッチ５２と第２ステッチ５４との間において、第３層１３とともに第３ステッチ５５により縫着される。
【００４５】
本体部１は、次のように形成され得る。
第１層１１の２つのパーツは第３層１３の２つのパーツと重ねられる。重ねた各パーツの前中心側の端部が重ねられ、芯材５１とともに縫着される。これにより、第１ステッチ５２が設けられる。
【００４６】
一方、第２層１２の２つのパーツの前中心側の端部が重ねられ、芯材５３とともに縫着される。これにより、第２ステッチ５４が設けられる。
【００４７】
第１ステッチ５２及び第２ステッチ５４は、ほつれを抑えるため、縁かがり縫いにより設けられることが好ましい。また芯材５１及び５３としてウーリースピンテープを用いると、洗濯による伸び止めも可能であり、好ましい。
【００４８】
第３層１３が縫着された第１層１１の端部は、一方のパーツが芯材５１を覆うように折り返される。同様に、第２層１２の縫着された端部も、一方のパーツが芯材５３を覆うように折り返される。
【００４９】
第１層１１と第２層１２は、折り返されなかった他方のパーツ同士が隣り合わせに配置され、第１ステッチ５２と第２ステッチ５４との間で縫着される。これにより第３ステッチ５５が設けられる。。
【００５０】
第１層１１の端部と、第２層１２の端部とは、第３ステッチ５５を境界として左右に分けて倒される。中心部Ｍが厚くなりすぎないため、縫着部分によるごわつきを避けることができる。各端部は、第１層１１と第２層１２の間に折り込まれるため、着用時に違和感を与えない。
【００５１】
このように本体部１の中心部Ｍは、本体部１の素材が重なり、芯材５１及び５３が配置されて適度な強度を有する。したがって、中心部Ｍの曲線形状が維持されやすく、本体部１の型崩れを抑えやすい。
【００５２】
本体部１の上下の端部は、折り曲げられたパイピングテープによって覆われ、パイピングテープと縫着される。
【００５３】
本体部１の左右の端部では、第１層１１と第３層１３とがともに内側に折り返される。同様に第２層１２も内側に折り返される。第１層１１と第３層１３の折り返し部分が第２層１２の折り返し部分と縫着される。
【００５４】
（識別部）
第１層１１は、第１層１１の面を示す識別部３を備える。識別部３によって着用者は肌触りの良い第１層１１の面を容易に把握することができる。
【００５５】
識別部３は、第１層１１の面上の一部に印刷された文字、イラスト、ロゴ等のマークであってもよい。また第１層１１の全面を第２層１２と異なる色に染色することによっても、識別部３を設けることができる。識別部３は、第１層１１の面と第２層１２の面を識別できるのであればこれらに限定されない。
【００５６】
（耳掛け部）
耳掛け部２は、本体部１の左右両端から延びる。耳掛け部２はテープ状の編地であり、一端が本体部１の左右両端の上側に、他端が下側に取り付けられて、ループを形成する。
【００５７】
本実施形態において、耳掛け部２は、本体部１の上下の縁を覆うパイピングテープと１つの部材として一体に構成される。
【００５８】
本実施形態において、耳掛け部２は第２層１２と同じ編地である。肌触りが良い編地であるため、快適に着用できる。また編地は伸縮性を有するため、耳が痛くなりにくい。
【００５９】
以上のように、本実施形態によれば、フィルター機能を有し、ごわつきやすい第３層１３は、編地である第１層１１と第２層１２の間に配置され、着用者の肌に直接接触しない。
【００６０】
着用者に接する内側には接触冷感を有する編地である第１層１１が配置される。そのため、肌触りが良好であり、夏のように気温が高い時期でも快適に着用できる。第２層１２は、通気性を有する編地であり、マスク１０内の換気が容易である。
【００６１】
このような多層構造によって、フィルター機能に優れ、かつ着用時の不快感が少ないマスク１０の提供が可能である。
【００６２】
第１層１１、第２層１２及び第３層１３は、本体部１の中心部Ｍにおいて縫着されている。したがって、中心部Ｍにおけるたるみによる型崩れを抑えることができる。さらに中心部Ｍには芯材５１及び５３を縫い合わせるため、立体形状を維持しやすい。
【００６３】
マスク１０は、本体部１及び耳掛け部２に編地を使用しており、洗濯可能である。汚れを落として衛生性を維持することができる。
【００６４】
以上、本発明の好ましい実施形態について説明したが、本発明は、これらの実施形態に限定されず、その発明の範囲内で種々の変形及び変更が可能である。
【符号の説明】
【００６５】
１０・・・マスク、１・・・本体部、１１・・・第１層、１２・・・第２層、１３・・・第３層、１３１，１３２・・・フィルター、２・・・耳掛け部、３・・・識別部、５１，５３・・・芯材、５２・・・第１ステッチ、５４・・・第２ステッチ、５５・・・第３ステッチ、Ｍ・・・中心部
【要約】
【課題】フィルター機能に優れ、かつ着用時の不快感が少ないマスクの提供。
【解決手段】多層構造を有するマスク（１０）において、本体部（１）と、耳掛け部（２）とを備える。本体部（１）は、着用者に接する内側に第１層（１１）と、外側に第２層（１２）と、第１層（１１）と第２層（１２）の間に第３層（１３）とを備える。第１層（１１）は、接触冷感を有する編地である。第２層（１２）は、通気性を有する編地である。第３層（１３）は、フィルターである。
【選択図】図３【図１】
0006821286.tif 000002
【図２】
0006821286.tif 000003
【図３】
0006821286.tif 000004
【図４】
0006821286.tif 000005